(57)【要約】【課題】点火電極６１と、アース電極６２と、これら点火電極とアース電極とを挿通固定する碍子６４と、碍子の外面に重ね合わせた状態で燃焼装置の一部に締結される取付板６５とを備え、アース電極を取付板を介してアースする点火装置であって、アース電極を取付板に電気的に接続するための専用の工程が不要な低コストのものを提供する。【解決手段】取付板６５に、碍子６４の外面から突出するアース電極６２の外端部６２ａが挿入されて接触するバーリング部６５ａを設け、アース電極６２がバーリング部６５ａを介して取付板６５と電気的に接続されるようにする。好ましくは、アース電極６２の外端部６２ａにテーパーを付け、外端部６２ａがバーリング部６５ａにこれを押し広げながら挿入されるように構成する。【選択図】図４
2017009146.tif 000002
【特許請求の範囲】
【請求項１】
点火電極と、アース電極と、これら点火電極とアース電極とを挿通固定する碍子と、碍子の外面に重ね合わせた状態でバーナを備える燃焼装置の一部に締結される取付板とを備え、点火電極とアース電極との間での火花放電でバーナに点火させる点火装置において、
取付板に、碍子の外面から突出するアース電極の外端部が挿入されて接触するバーリング部を設け、アース電極がバーリング部を介して取付板と電気的に接続されることを特徴とする点火装置。
【請求項２】
前記アース電極の外端部に、当該外端部の前記碍子外面からの突出方向である軸方向外方に向かって縮径するテーパーが付けられ、アース電極の外端部が前記バーリング部に当該バーリング部を押し広げながら挿入されることを特徴とする請求項１記載の点火装置。
【請求項３】
請求項２記載の点火装置であって、前記アース電極の外端部に付けられるテーパーは、軸方向複数個所に軸方向内方を向く径方向段差を有するタケノコ形状のテーパーであることを特徴とする点火装置。
【発明の詳細な説明】
【技術分野】
【０００１】
本発明は、点火電極と、アース電極と、これら点火電極とアース電極とを挿通固定する碍子と、碍子の外面に重ね合わせた状態でバーナを備える燃焼装置の一部に締結される取付板とを備え、点火電極とアース電極との間での火花放電でバーナに点火させる点火装置に関する。
【背景技術】
【０００２】
従来、この種の点火装置として、特許文献１により、取付板に、碍子の外面から突出するアース電極の外端部に沿う立上り部を切り起し、この立上り部をアース電極の外端部にスポット溶接したものが知られている。これによれば、アース電極が立上り部を介して取付板と電気的に接続され、取付板を締結する燃焼装置の部分をアースすることで、アース電極がアースされることになる。
【０００３】
然し、上記従来例のものでは、立上り部をアース電極の外端部にスポット溶接することが必要になり、工数増加でコストアップを招く不具合がある。
【先行技術文献】
【特許文献】
【０００４】
【特許文献１】特開平８−２００６７５号公報
【発明の概要】
【発明が解決しようとする課題】
【０００５】
本発明は、以上の点に鑑み、アース電極を取付板に電気的に接続するための専用の工程が不要な低コストの点火装置を提供することをその課題としている。
【課題を解決するための手段】
【０００６】
上記課題を解決するために、本発明は、点火電極と、アース電極と、これら点火電極とアース電極とを挿通固定する碍子と、碍子の外面に重ね合わせた状態でバーナを備える燃焼装置の一部に締結される取付板とを備え、点火電極とアース電極との間での火花放電でバーナに点火させる点火装置において、取付板に、碍子の外面から突出するアース電極の外端部が挿入されて接触するバーリング部を設け、アース電極がバーリング部を介して取付板と電気的に接続されることを特徴とする。
【０００７】
本発明によれば、取付板を燃焼装置の一部に締結する際に、取付板の締結力によりアース電極の外端部をバーリング部に押し込んでこれにしっかりと接触させることができる。従って、アース電極を取付板に電気的に接続するための専用の工程が不要になり、コストダウンを図ることができる。
【０００８】
また、本発明においては、アース電極の外端部に、当該外端部の碍子外面からの突出方向である軸方向外方に向かって縮径するテーパーが付けられ、アース電極の外端部がバーリング部に当該バーリング部を押し広げながら挿入されることが望ましい。これによれば、アース電極の外端部のバーリング部に対する電気的接続の確実性を確保でき、且つ、組み付け性も向上する。
【０００９】
更に、アース電極の外端部に付けられるテーパーは、軸方向複数個所に軸方向内方を向く径方向段差を有するタケノコ形状のテーパーであることが望ましい。これによれば、アース電極の外端部がバーリング部に対し抜け止めされ、メンテナンス時に燃焼装置の構成部材に対する取付板の締結を解除して点火装置を取外しても、アース電極と取付板との電気的接続を維持することができ、有利である。
【図面の簡単な説明】
【００１０】
【図１】本発明の実施形態の点火装置を具備する燃焼装置を示す斜視図。
【図２】図１のＩＩ−ＩＩ線で切断した断面図。
【図３】図２のＩＩＩ−ＩＩＩ線で切断した断面図。
【図４】図２のＩＶ−ＩＶ線で切断した要部の拡大断面図。
【図５】他の実施形態の要部の平面図。
【発明を実施するための形態】
【００１１】
図１、図２を参照して、１は燃焼装置を示している。この燃焼装置１は、燃焼面２ａを下方に向けた下向き姿勢のバーナ２と、燃焼面２ａの周囲に締結される上端の接合フランジ３１を有する燃焼筐３と、燃焼筐３内に配置した給湯用の熱交換器４とを備えている。尚、燃焼筐３の下側には図示省略した潜熱回収型の副熱交換器が配置される。
【００１２】
バーナ２は、下面を開放面とするバーナボディ２１と、バーナボディ２１の下面に装着した燃焼面２ａを構成する燃焼板２２とで構成される。バーナボディ２１には、図外の混合気供給ダクトが接続される流入口２１ａが開設されている。また、燃焼板２２には多数の炎孔２２ａが形成され、流入口２１ａからバーナボディ２１内に流入する混合気がこれら炎孔２２ａから噴出して全一次燃焼する。
【００１３】
熱交換器４は、多数のフィン４１とこれらフィン４１を貫通する複数の吸熱管４２とを備えるフィンチューブ型熱交換器で構成されている。燃焼筐３の横方向両側の側板３２の外面には、隣り合う２本の吸熱管４２，４２の接続路を側板３２との間に画成する接続蓋４３が複数取付けられており、全ての吸熱管４２が直列に接続される。また、下流端の吸熱管４２に接続される接続路を側板３２との間に画成する接続蓋４３には出湯口４４が設けられている。
【００１４】
燃焼筐３の前側の側板３３と後側の側板３４の熱交換器４より上方の部分の内側には、各側板３３，３４の過熱を防止するために、夫々上下２本の水管５，５が各側板３３，３４に接するように配置されている。また、燃焼筐３の横方向片側の側板３２の外面には、後側の上下２本の水管５，５の接続路を側板３２との間に画成する流入側ヘッダ蓋５１と、前側の上下２本の水管５，５と熱交換器４の上流端の吸熱管４２との接続路を側板３２との間に画成する流出側ヘッダ蓋５２とを取付け、流入側ヘッダ蓋５１に入水口５３を設けている。更に、燃焼筐２の横方向反対側の側板３２の外面には、図３に示す如く、後側の水管５と前側の水管５との接続路を側板３２との間に画成する接続蓋５４が取付けられている。そして、副熱交換器を通過した水が入水口５３から流入側ヘッダ蓋５１内の接続路と後側の水管５と接続蓋５４内の接続路と前側の水管５と流出側ヘッダ蓋５２内の接続路とを介して熱交換器４に供給され、熱交換器４で加熱された温水が出湯口４４から出湯されるようにしている。
【００１５】
また、燃焼筐３の前側の側板３３には、接合フランジ３１と上側の水管５との間に位置させて、点火装置６が装着されている。点火装置６は、側板３３を貫通して燃焼筐３内に突出する点火電極６１、アース電極６２及びフレームロッド６３と、これらを挿通固定した碍子６４と、碍子６４の外面に重なる取付板６５とを備えている。そして、碍子６４と側板３３との間にパッキン６６を介設した状態で取付板６５を複数のネジ６７により側板３３に締結して、点火装置６を側板３３に装着している。尚、押え板６５は、碍子６４に重なる部分から横方向片側に張出す延出部を有しており、この延出部に燃焼筐３内を目視するための覗き窓６８が設けられている。
【００１６】
ここで、バーナ１に点火させる際は、点火電極６１にイグナイタから高電圧を印加することにより、点火電極６１とアース電極６２との間で火花放電させるが、そのためには、アース電極６２をアースする必要がある。そこで、燃焼筐３をアースし、アース電極６２を取付板６５を介して燃焼筐３の側板３３に電気的に接続することにより、アース電極６２をアースしている。以下、この点について詳述する。
【００１７】
図４も参照して、本実施形態では、取付板６５に、碍子６４の外面から突出するアース電極６２の外端部６２ａが挿入されて接触するバーリング部６５ａを設けている。そして、アース電極６２が、バーリング部６５ａを介して取付板６５と電気的に接続され、取付板６５とこれを締結する側板３３とを介してアースされるようにしている。
【００１８】
本実施形態によれば、取付板６５を側板３３に締結する際に、取付板６５の締結力によりアース電極６２の外端部６２ａをバーリング部６５ａに押し込んでこれにしっかりと接触させることができる。従って、アース電極６２を取付板６５に電気的に接続するための専用の工程が不要になり、コストダウンを図ることができる。
【００１９】
また、本実施形態では、アース電極６２の外端部６２ａに、当該外端部６２ａの碍子６４外面からの突出方向である軸方向外方に向かって縮径するテーパーを付け、アース電極６２の外端部６２ａがバーリング部６５ａに当該バーリング部６５ａを押し広げながら挿入されるようにしている。これによれば、アース電極６２の外端部６２ａのバーリング部６５ａに対する電気的接続の確実性を確保でき、且つ、組み付け性も向上する。
【００２０】
尚、アース電極６２の外端部６２ａに付けられるテーパーは、図５に示す実施形態の如く、軸方向複数個所に軸方向内方を向く径方向段差６２ｂを有するタケノコ形状のテーパーであってもよい。これによれば、アース電極６２の外端部６２ａがバーリング部６５ａに対し抜け止めされ、メンテナンス時に側板３３に対する取付板６５の締結を解除して点火装置６を取外しても、アース電極６２と取付板６５との電気的接続を維持することができ、有利である。
【００２１】
以上、本発明の実施形態について図面を参照して説明したが、本発明はこれに限定されない。例えば、上記実施形態では、アース電極６２の外端部６２ａの断面形状を円形として、外端部６２ａが全周に亘ってバーリング部６５ａに接触するようにしているが、外端部６２ａの断面形状をバーリング部６５ａに内接する多角形としてもよい。但し、上記実施形態の方がアース電極６２の外端部６２ａとバーリング部６５ａとの接触面積を広く確保でき有利である。また、点火装置６にフレームロッド６３が付設されているが、フレームロッド６３は必要不可欠ではない。更に、上記実施形態では、取付板６５を燃焼筐３の側板３３に締結しているが、側板３３以外の燃焼装置の部分に取付板６５を締結することも可能である。
【符号の説明】
【００２２】
１…燃焼装置、３３…燃焼筐の側板(取付板を締結する燃焼装置の構成部材)、６…点火装置、６１…点火電極、６２…アース電極、６２ａ…アース電極の外端部、６２ｂ…径方向段差、６４…碍子、６５…取付板、６５ａ…バーリング部。
【図１】
2017009146.tif 000003
【図２】
2017009146.tif 000004
【図３】
2017009146.tif 000005
【図４】
2017009146.tif 000006
【図５】
2017009146.tif 000007